(57)【特許請求の範囲】
【請求項１】
給水配管（２１）からの水が底部に給水される貯湯タンク（１２）と、
前記貯湯タンク（１２）内に蓄えられる温水を加熱するとともに、その加熱した温水を前記貯湯タンク（１２）内の上部に流入させるヒートポンプユニット（１１）と、
前記ヒートポンプユニット（１１）と前記貯湯タンク（１２）との間で温水を循環させる第１ポンプ（１６）と、
前記貯湯タンク（１２）の外部に設置されて、前記貯湯タンク（１２）内上部に蓄えられる温水が供給され、この温水と熱交換するブライン加熱用熱交換器（４０）と、
前記貯湯タンク（１２）と前記ブライン加熱用熱交換器（４０）との間で温水を循環させる第２ポンプ（５８）と、
前記貯湯タンク（１２）内上部に蓄えられる温水を第１機器（３７、３９）に供給する温水供給経路（２２）と、
前記ブライン加熱用熱交換器（４０）で加熱されたブラインを第２機器（４９、５２）に供給するブライン供給経路（４１）とを備えることを特徴とする多機能給湯装置。
【請求項２】
前記第２ポンプは、回転数が調整可能に構成された電動ポンプ（５８）であることを特徴とする請求項１に記載の多機能給湯装置。
【請求項３】
給水配管（２１）からの水が底部に給水される貯湯タンク（１２）と、
前記貯湯タンク（１２）内に蓄えられる温水を加熱するとともに、その加熱した温水を前記貯湯タンク（１２）内の上部に流入させるヒートポンプユニット（１１）と、
温水加熱室（３０）と、
前記温水加熱室（３０）を加熱する燃焼装置（２５）と、
前記温水加熱室（３０）内に設けられ、前記温水加熱室（３０）内の温水と熱交換するブライン加熱用熱交換器（４０）と、
前記貯湯タンク（１２）内上部に蓄えられる温水を第１機器（３７、３９）に供給する温水供給経路（２２）と、
前記ブライン加熱用熱交換器（４０）で加熱されたブラインを第２機器（４９、５２）に供給するブライン供給経路（４１）とを備え、
前記温水加熱室（３０）の上部は前記貯湯タンク（１２）内の上部に連通し、前記温水加熱室（３０）の下部は前記貯湯タンク（１２）内上部との連通位置よりも下方位置にて前記貯湯タンク（１２）内に連通することを特徴とする多機能給湯装置。
【請求項４】
前記ブライン加熱用熱交換器（４０）で加熱されたブラインの流量を調整するブライン流量調整手段（４７、５３）を有することを特徴とする請求項３に記載の多機能給湯装置。
【請求項５】
前記ブライン供給経路は前記ブラインが循環する閉回路（４１）であり、
前記第２機器（４９、５２）は複数であり、前記複数の第２機器（４９、５２）の１つ（４９）は、前記ブライン加熱用熱交換器（４０）で加熱されたブラインが循環するようになっており、また、前記複数の機器（４９、５２）の他の１つ（５２）は、前記ブライン加熱用熱交換器（４０）で加熱される前のブラインが循環するようになっていることを特徴とする請求項１ないし４のいずれか１つに記載の多機能給湯装置。
【請求項６】
前記閉回路（４１）内にブラインを溜めるブラインタンク（４３）を設け、前記ブラインタンク（４３）内に、ブラインと風呂（３９）の温水との熱交換を行う風呂追い焚き用の熱交換器（４４）を設けることを特徴とする請求項５に記載の多機能給湯装置。
【請求項７】
前記ブライン流量調整手段は、ブライン流れの圧損を調整する調整手段（４７、５３）であることを特徴とする請求項４に記載の多機能給湯装置。
【請求項８】
前記ブライン加熱用熱交換器（４０）にて熱交換した後の温水の熱を回収する温水熱回収タンク（５６）を備え、
前記温水熱回収タンク（５６）内の温水を前記温水供給経路（２２）を通して前記第１機器（３７、３９）に供給することを特徴とする請求項１ないし７のいずれか１つに記載の多機能給湯装置。
【請求項９】
前記温水熱回収タンク（５６）内の上部に、前記ブライン加熱用熱交換器（４０）にて熱交換した後の温水が流入し、
前記温水熱回収タンク（５６）の底部に前記給水配管（２１、２１ａ、２１ｃ）からの水が流入し、
前記温水熱回収タンク（５６）内の底部側に溜まる低温の温水を前記貯湯タンク（１２）の底部に戻し、
前記温水熱回収タンク（５６）内上部の中間温度の温水を前記温水供給経路（２２）を通して前記第１機器（３７、３９）に供給することを特徴とする請求項８に記載の多機能給湯装置。
【請求項１０】
前記温水熱回収タンク（５６）の底部を前記貯湯タンク（１２）の底部に連通させる第１戻し経路（５７，５７ａ）と、
前記温水熱回収タンク（５６）の底部を前記貯湯タンク（１２）の上下方向の中間部位に連通させる第２戻し経路（５７，５７ｂ）と、
前記第１戻し経路（５７，５７ａ）と前記第２戻し経路（５７，５７ｂ）を切り替える切替手段（６４）とを備え、
前記ブライン加熱用熱交換器（４０）にて熱交換した後の温水が前記温水熱回収タンク（５６）内に充満するまでは、前記切替手段（６４）により前記第１戻し経路（５７，５７ａ）を開いて前記第２戻し経路（５７，５７ｂ）を閉じることにより、前記温水熱回収タンク（５６）内の底部側に溜まる低温の温水を前記貯湯タンク（１２）の底部に戻し、
前記ブライン加熱用熱交換器（４０）にて熱交換した後の温水が前記温水熱回収タンク（５６）内に充満すると、前記切替手段（６４）により前記第２戻し経路（５７，５７ｂ）を開いて前記第１戻し経路（５７，５７ａ）を閉じることにより、前記温水熱回収タンク（５６）内の温水を前記貯湯タンク（１２）の上下方向の中間部位に戻すことを特徴とする請求項９に記載の多機能給湯装置。
【請求項１１】
前記貯湯タンク（１２）の上下方向の中間部位は、前記貯湯タンク（１２）において前記温水熱回収タンク（５６）の容量に相当する高さ近傍の位置であることを特徴とする請求項１０に記載の多機能給湯装置。
【請求項１２】
前記温水熱回収タンク（５６）からの温水と、前記給水配管（２１、２１ａ、２１ｃ）からの水とを混合して温度調整された温水を作る温度調整手段（７０）を備え、
前記温度調整手段（７０）通過後の温水を、前記温水供給経路（２２）を通して前記第１機器（３７、３９）に供給することを特徴とする請求項９ないし１１のいずれか１つに記載の多機能給湯装置。
【請求項１３】
前記ブライン加熱用熱交換器（４０）にて熱交換した後の温水と、前記給水配管（２１、２１ａ、２１ｃ）からの水との間で熱交換をするように前記温水熱回収タンク（５６）を構成したことを特徴とする請求項８に記載の多機能給湯装置。
【請求項１４】
前記温水熱回収タンク（５６）内の底部側に溜まる低温の温水を前記ヒートポンプユニット（１１）の低圧側回路部に導き、前記ヒートポンプユニット（１１）の低圧側冷媒が前記低温の温水から吸熱するようにし、
前記低圧側冷媒により吸熱された後の前記低温の温水を前記貯湯タンク（１２）の底部に戻し、
前記貯湯タンク（１２）の底部の水を前記ヒートポンプユニット（１１）の高圧側熱交換器（１３）にて加熱することを特徴とする請求項８に記載の多機能給湯装置。
【請求項１５】
前記第１機器（３７、３９）への温水供給開始時における前記温度調整手段（７０）の調整位置を、前記温水熱回収タンク（５６）からの温水よりも前記給水配管（２１、２１ａ、２１ｃ）からの水の量が多くなる位置に設定し、その後に、前記温度調整手段（７０）の出口温水温度が目標温度となるように前記温度調整手段（７０）を調整するフィードバック制御を開始することを特徴とする請求項１２に記載の多機能給湯装置。
【請求項１６】
前記温水供給経路（２２）に、前記温度調整手段（７０）により温度調整された温水と前記貯湯タンク（１２）からの温水とを混合して前記第１機器（３７、３９）への温水温度を調整する主温度調整手段（２３）を設け、
前記温度調整手段（７０）の目標温度を、前記主温度調整手段（２３）の目標温度以下の温度とすることを特徴とする請求項１５に記載の多機能給湯装置。
【請求項１７】
前記第１機器（３７、３９）への温水供給開始時における前記温度調整手段（７０）の調整位置を、前記前記給水配管（２１、２１ａ、２１ｃ）からの水の量を１００％とする位置に設定することを特徴とする請求項１５または１６に記載の多機能給湯装置。
【請求項１８】
前記第２機器は床暖房装置（５２）であることを特徴とする請求項８ないし１７のいずれか１つに記載の多機能給湯装置。
【請求項１９】
前記第１機器として風呂（３９）が備えられ、
前記風呂（３９）の温水を前記ブライン加熱用熱交換器（４０）に循環することにより、前記風呂（３９）を前記第２機器としても使用できるようにしたことを特徴とする請求項８ないし１７のいずれか１つに記載の多機能給湯装置。
【発明の詳細な説明】
【０００１】
【発明の属する技術分野】
本発明は、異なる温度の温水を同時に供給可能な多機能給湯装置に関するものである。
【０００２】
【従来の技術】
従来、特開２０００−１１１１５４号公報、特開２０００−１８６８５６号公報には、温水の加熱源としてヒートポンプユニットと燃焼ユニットとを備え、ヒートポンプによる加熱能力の不足分を燃焼ユニットで補うものが記載されている。
【０００３】
【発明が解決しようとする課題】
しかし、上記従来技術は、ヒートポンプユニットで作られた温水と燃焼ユニットで作られた温水とを混合して、温度設定スイッチにより設定された温度の温水（湯）が最終の給湯栓で得られるようにしているので、例えば、床暖房に必要な６０°Ｃの温水と、浴室乾燥機等で必要な８０°Ｃの温水を同時に供給するというニーズを満足できない。
【０００４】
本発明は上記点に鑑みて、異なる温度の温水を同時に供給することが可能な多機能給湯装置を提供することを目的とする。
【０００５】
【課題を解決するための手段】
上記目的を達成するため、請求項１に記載の発明では、給水配管（２１）からの水が底部に給水される貯湯タンク（１２）と、貯湯タンク（１２）内に蓄えられる温水を加熱するとともに、その加熱した温水を前記貯湯タンク（１２）内の上部に流入させるヒートポ
ンプユニット（１１）と、ヒートポンプユニット（１１）と貯湯タンク（１２）との間で温水を循環させる第１ポンプ（１６）と、貯湯タンク（１２）の外部に設置されて、貯湯タンク（１２）内上部に蓄えられる温水が供給され、この温水と熱交換するブライン加熱用熱交換器（４０）と、貯湯タンク（１２）とブライン加熱用熱交換器（４０）との間で温水を循環させる第２ポンプ（５８）と、貯湯タンク（１２）内上部に蓄えられる温水を第１機器（３７、３９）に供給する温水供給経路（２２）と、ブライン加熱用熱交換器（４０）で加熱されたブラインを第２機器（４９、５２）に供給するブライン供給経路（４１）とを備えることを特徴とする。
【０００６】
これにより、第１機器（３７、３９）には貯湯タンク（１２）内に蓄えられる温水に基づいて所望温度の温水を供給することができ、また、第２機器（４９、５２）に対しては、ブライン加熱用熱交換器（４０）で加熱されたブライン、すなわち、貯湯タンク（１２）内に蓄えられる温水よりも所定温度低いブラインを供給できる。
【０００７】
しかも、第１機器（３７、３９）および第２機器（４９、５２）の両方に、１つの貯湯タンク（１２）を熱源として温水またはブラインを供給できできるので、全体システム構成を簡素化できる。
さらに、ヒートポンプユニット（１１）側とブライン加熱用熱交換器（４０）側で、温水循環用のポンプ（１６）（５８）をそれぞれ独立に設けているから、ヒートポンプユニット（１１）側とブライン加熱用熱交換器（４０）側でそれぞれ専用の経路にて必要な量だけ温水を循環させることができる。
【０００８】
なお、ブラインとは第２機器（４９、５２）で放熱を行う熱媒体であり、具体的には水道水や、不凍液を混合した水道水等を使用できる。
【０００９】
請求項２に記載の発明のように、請求項１において、第２ポンプは、具体的には回転数が調整可能に構成された電動ポンプ（５８）を用いればよい。
これによれば、電動ポンプ（５８）の回転数調整によってブライン流量を調整できるので、第２機器（４９、５２）側の放熱量制御を独立に行うことができる。
【００１０】
請求項３に記載の発明では、給水配管（２１）からの水が底部に給水される貯湯タンク（１２）と、貯湯タンク（１２）内に蓄えられる温水を加熱するとともに、その加熱した温水を貯湯タンク（１２）内の上部に流入させるヒートポンプユニット（１１）と、温水加熱室（３０）と、温水加熱室（３０）を加熱する燃焼装置（２５）と、温水加熱室（３０）内に設けられ、温水加熱室（３０）内の温水と熱交換するブライン加熱用熱交換器（４０）と、貯湯タンク（１２）内上部に蓄えられる温水を第１機器（３７、３９）に供給する温水供給経路（２２）と、ブライン加熱用熱交換器（４０）で加熱されたブラインを第２機器（４９、５２）に供給するブライン供給経路（４１）とを備え、
温水加熱室（３０）の上部は貯湯タンク（１２）内の上部に連通し、温水加熱室（３０）の下部は貯湯タンク（１２）内上部との連通位置よりも下方位置にて貯湯タンク（１２）内に連通することを特徴とする。
【００１１】
このように、燃焼式加熱装置の温水加熱室（３０）内にブライン加熱用熱交換器（４０）を設けることにより、燃焼作動にて温度上昇した温水加熱室（３０）内温水の熱をブライン加熱用熱交換器（４０）内のブラインに直接伝熱できる。
また、請求項３に記載の発明では、水の加熱装置として、ヒートポンプユニット（１１）と燃焼装置（２５）とを具備しているから、ヒートポンプユニット（１１）の加熱作用に対して燃焼装置（２５）の加熱作用を補助的に組み合わせることにより、貯湯タンク（１２）内に所定温度の温水を蓄えることができる。また、ヒートポンプユニット（１１）と燃焼装置（２５）の同時運転をすれば、貯湯時間を短縮できる。
また、温水加熱室（３０）の上下２箇所を貯湯タンク（１２）内に連通し、燃焼装置（３０）の燃焼作動により加熱された温水加熱室（３０）の高温水を自然対流にて貯湯タンク（１２）内の上部に移行できるから、貯湯タンク（１２）内の温水の温度分布を乱すことなく、貯湯タンク（１２）内の上部に温水加熱室（３０）の高温水を効果的に溜めることができる。
【００１２】
請求項４に記載の発明では、請求項３において、ブライン加熱用熱交換器（４０）で加熱されたブラインの流量を調整するブライン流量調整手段（４７、５３）を有することを特徴とする。
【００１３】
これにより、ブライン流量調整手段（４７、５３）によってブライン流量を調整できるので、第２機器（４９、５２）側の放熱量制御を独立に行うことができる。
【００１４】
請求項５に記載の発明では、請求項１ないし４のいずれか１つにおいて、ブライン供給経路はブラインが循環する閉回路（４１）であり、第２機器（４９、５２）は複数であり、複数の第２機器（４９、５２）の１つ（４９）は、ブライン加熱用熱交換器（４０）で加熱されたブラインが循環するようになっており、また、複数の機器（４９、５２）の他の１つ（５２）は、ブライン加熱用熱交換器（４０）で加熱される前のブラインが循環するようになっていることを特徴とする。
【００１５】
これにより、複数の第２機器（４９、５２）の１つ（４９）にはブライン加熱用熱交換器（４０）で加熱された高温のブラインを循環させて、高温のブラインに基づく放熱機能を発揮できる。
【００１６】
また、複数の機器（４９、５２）の他の１つ（５２）は、ブライン加熱用熱交換器（４０）で加熱される前の低温ブラインが循環するようになっているので、低温ブライン基づく放熱機能を発揮できる。
【００１７】
請求項６に記載の発明では、請求項５において、閉回路（４１）内にブラインを溜めるブラインタンク（４３）を設け、ブラインタンク（４３）内に、ブラインと風呂（３９）の温水との熱交換を行う風呂追い焚き用の熱交換器（４４）を設けることを特徴とする。
【００１８】
これにより、ブラインタンク（４３）内のブラインの持つ余剰熱量を活用して、風呂の追い焚きを行うことができる。
【００１９】
請求項７に記載の発明では、請求項４において、ブライン流量調整手段は、ブライン流れの圧損を調整する調整手段（４７、５３）であることを特徴とする。
【００２０】
これにより、調整手段（４７、５３）によて圧損を調整することにより、閉回路（４１）の機器（４９、５２）へのブライン流量を調整して放熱能力を調整することができる。
【００２１】
請求項８に記載の発明では、請求項１ないし７のいずれか１つにおいて、ブライン加熱用熱交換器（４０）にて熱交換した後の温水の熱を回収する温水熱回収タンク（５６）を備え、温水熱回収タンク（５６）内の温水を温水供給経路（２２）を通して第１機器（３７、３９）に供給することを特徴とする。
【００２２】
これによると、温水熱回収タンク（５６）内に、ブライン熱交換後の温水の熱を回収して比較的温度の高い中間温度の温水を蓄えることができる。そして、この中間温度の温水を有効利用して、第１機器（３７、３９）への温水供給を行うことができる。そのため、貯湯タンク（１２）内の温水の利用量を減少でき、加熱装置（１１、２５、３０）の稼働時間を減少できる。
【００２３】
請求項９に記載の発明では、請求項８において、温水熱回収タンク（５６）内の上部に、ブライン加熱用熱交換器（４０）にて熱交換した後の温水が流入し、温水熱回収タンク（５６）の底部に給水配管（２１、２１ａ、２１ｃ）からの水が流入し、温水熱回収タンク（５６）内の底部側に溜まる低温の温水を貯湯タンク（１２）の底部に戻し、温水熱回収タンク（５６）内上部の中間温度の温水を温水供給経路（２２）を通して第１機器（３７、３９）に供給することを特徴とする。
【００２４】
これにより、温水熱回収タンク（５６）内に、その底部から上部側へと順次温度が上昇する温水の温度勾配が形成され、そして、温水熱回収タンク（５６）内上部の中間温度の温水を第１機器（３７、３９）側へ供給するから、温水熱回収タンク（５６）内の中間温度の温水を第１機器（３７、３９）側へ効率よく供給できる。
【００２５】
また、温水熱回収タンク（５６）内の低温の温水を貯湯タンク（１２）の底部に戻すことにより、貯湯タンク（１２）とブライン加熱用熱交換器（４０）と温水熱回収タンク（５６）とを含む回路で温水を循環させ、ブラインを加熱することができる。
【００２６】
請求項１０に記載の発明では、請求項９において、温水熱回収タンク（５６）の底部を貯湯タンク（１２）の底部に連通させる第１戻し経路（５７，５７ａ）と、温水熱回収タンク（５６）の底部を貯湯タンク（１２）の上下方向の中間部位に連通させる第２戻し経路（５７，５７ｂ）と、第１戻し経路（５７，５７ａ）と第２戻し経路（５７，５７ｂ）を切り替える切替手段（６４）とを備え、
ブライン加熱用熱交換器（４０）にて熱交換した後の温水が温水熱回収タンク（５６）内に充満するまでは、切替手段（６４）により第１戻し経路（５７，５７ａ）を開いて第２戻し経路（５７，５７ｂ）を閉じることにより、温水熱回収タンク（５６）内の底部側に溜まる低温の温水を貯湯タンク（１２）の底部に戻し、
ブライン加熱用熱交換器（４０）にて熱交換した後の温水が温水熱回収タンク（５６）内に充満すると、切替手段（６４）により第２戻し経路（５７，５７ｂ）を開いて第１戻し経路（５７，５７ａ）を閉じることにより、温水熱回収タンク（５６）内の温水を貯湯タンク（１２）の上下方向の中間部位に戻すことを特徴とする。
【００２７】
これにより、ブライン加熱用熱交換器通過後の中間温度の温水が温水熱回収タンク（５６）内に充満すると、温水熱回収タンク（５６）内の中間温度の温水を第２戻し経路（５７，５７ｂ）から貯湯タンク（１２）の上下方向の中間部位に戻すことができる。
【００２８】
ここで、温水熱回収タンク（５６）内の中間温度の温水をもし貯湯タンク（１２）の底部に戻すと、貯湯タンク（１２）内底部の低温水と中間温度の温水とが撹拌され、貯湯タンク（１２）内の温水の温度勾配が崩れて、貯湯タンク（１２）内の温水の有効利用が阻害されるが、請求項１０によると、温水熱回収タンク（５６）内の中間温度の温水を貯湯タンク（１２）の上下方向の中間部位に戻すから、貯湯タンク（１２）内底部の低温水と中間温度の温水との撹拌を抑制して、貯湯タンク（１２）内の温水を有効利用できる。
【００２９】
請求項１１に記載の発明では、請求項１０において、貯湯タンク（１２）の上下方向の中間部位は、貯湯タンク（１２）において温水熱回収タンク（５６）の容量に相当する高さ近傍の位置であることを特徴とする。
【００３０】
ところで、温水熱回収タンク（５６）内がブライン用熱交換器（４０）通過後の中間温度の温水で充満するということは、貯湯タンク（１２）から温水熱回収タンク（５６）の容量相当分の高温温水が流出し、その代わりに貯湯タンク（１２）の下部に温水熱回収タンク（５６）の容量相当分の低温水が新たに流入することになる。
【００３１】
従って、請求項１１のように、温水熱回収タンク（５６）内が中間温度の温水で充満した時点で貯湯タンク（１２）への温水戻り位置を、温水熱回収タンク（５６）の容量相当分の中間部位に切り替えることにより、貯湯タンク（１２）内の高温温水と低温水との境界付近に温水熱回収タンク（５６）からの中間温度の温水を流入させることができる。このため、中間温度の温水と低温水との撹拌をより確実に防止できる。
【００３２】
請求項１２に記載の発明では、請求項９ないし１１のいずれか１つにおいて、温水熱回収タンク（５６）からの温水と、給水配管（２１、２１ａ、２１ｃ）からの水とを混合して温度調整された温水を作る温度調整手段（７０）を備え、温度調整手段（７０）通過後の温水を、温水供給経路（２２）を通して第１機器（３７、３９）に供給することを特徴とする。
【００３３】
これにより、使用者の設定する給湯目標温度が温水熱回収タンク（５６）内の中間温度の温水より低い場合でも、温度調整手段（７０）にて中間温度の温水と給水配管（２１、２１ａ、２１ｃ）からの低温の水とを混合して、所望の給湯温度の温水を作り出すことができる。
【００３４】
請求項１３に記載の発明のように、請求項８において、具体的には、ブライン加熱用熱交換器（４０）にて熱交換した後の温水と、給水配管（２１、２１ａ、２１ｃ）からの水との間で熱交換をするように温水熱回収タンク（５６）を構成してもよい。
【００３５】
請求項１４に記載の発明では、請求項８において、温水熱回収タンク（５６）内の底部側に溜まる低温の温水をヒートポンプユニット（１１）の低圧側回路部に導き、ヒートポンプユニット（１１）の低圧側冷媒が低温の温水から吸熱するようにし、低圧側冷媒により吸熱された後の低温の温水を貯湯タンク（１２）の底部に戻し、貯湯タンク（１２）の底部の水を電気式ヒートポンプユニット（１１）の高圧側熱交換器（１３）にて加熱することを特徴とする。
【００３６】
これによると、温水熱回収タンク（５６）底部の低温の温水を貯湯タンク（１２）に直接、戻さずに、ヒートポンプユニット（１１）の低圧側冷媒の吸熱作用によって温水温度を更に低下させてから、温水を貯湯タンク（１２）の底部に戻すことができる。
【００３７】
この結果、貯湯タンク（１２）の底部から高圧側熱交換器（１３）に循環する温水温度も低くなるので、高圧側熱交換器（１３）における高圧冷媒と水との温度差を拡大できる。そのため、サイクル高圧を上昇させることなく、高圧側熱交換器（１３）での熱交換量を増大できる。これにより、ヒートポンプユニット（１１）のＣＯＰを向上できる。
【００３８】
請求項１５に記載の発明では、請求項１２において、第１機器（３７、３９）への温水供給開始時における温度調整手段（７０）の調整位置を、温水熱回収タンク（５６）からの温水よりも給水配管（２１、２１ａ、２１ｃ）からの水の量が多くなる位置に設定し、その後に、温度調整手段（７０）の出口温水温度が目標温度となるように温度調整手段（７０）を調整するフィードバック制御を開始することを特徴とする。
【００３９】
これによると、温度調整手段（７０）のフィードバック制御において、その制御開始時点（すなわち、温水供給開始時点）では、温度調整手段（７０）が温水熱回収タンク（５６）からの温水よりも給水配管からの水の量を多くした状態にて待機しているので、温度調整手段（７０）のフィードバック制御は必ず、この給水配管からの水の量を多くした状態から開始することになる。従って、温度調整手段（７０）の出口温水温度は必ず、給水温度に近い低温状態から始まり、そして、フィードバック制御により上記目標温度に向かって徐々に上昇する。
【００４０】
このため、温水供給開始時に温度調整手段（７０）の出口温水温度が上記目標温度より高温側にオーバーシュートするといった不具合は発生しない。
【００４１】
請求項１６に記載の発明では、請求項１５において、温水供給経路（２２）に、温度調整手段（７０）により温度調整された温水と貯湯タンク（１２）からの温水とを混合して第１機器（３７、３９）への温水温度を調整する主温度調整手段（２３）を設け、温度調整手段（７０）の目標温度を、主温度調整手段（２３）の目標温度以下の温度とすることを特徴とする。
【００４２】
これにより、主温度調整手段（２３）の目標温度、すなわち、使用者の設定する給湯目標温度が温水熱回収タンク（５６）内の中間温度の温水より低い場合でも、温度調整手段（７０）にて中間温度の温水と給水配管からの低温の給水とを混合して、給湯目標温度の温水を作り出すことができる。
【００４３】
請求項１７に記載の発明のように、請求項１５または１６において、第１機器（３７、３９）への温水供給開始時における温度調整手段（７０）の調整位置を、給水配管（２１、２１ａ、２１ｃ）からの水の量を１００％とする位置に設定すれば、温度調整手段（７０）の出口温水温度は必ず、給水温度から始まるので、この出口温水温度の高温側へのオーバーシュートをより確実に防止できる。
【００４４】
請求項１８に記載の発明のように、請求項８ないし１７のいずれか１つにおいて、第２機器として床暖房装置（５２）を使用すれば、ブラインを熱源として床暖房の機能を発揮できるとともに、ブライン熱交換後の温水を有効利用して、第１機器（３７、３９）への温水供給を行うことができる。
【００４５】
請求項１９に記載の発明のように、請求項８ないし１７のいずれか１つにおいて、第１機器として風呂（３９）を備え、風呂（３９）の温水をブライン加熱用熱交換器（４０）に循環することにより、前記風呂（３９）を第２機器としても使用できるようにしてもよい。
【００４６】
これにより、ブライン加熱用熱交換器（４０）を風呂（３９）の追い焚きに使用できる。
【００４７】
なお、上記各手段の括弧内の符号は、後述する実施形態に記載の具体的手段との対応関係を示すものである。
【００４８】
【発明の実施の形態】
（第１実施形態）
本実施形態は、本発明による多機能ハイブリッド給湯装置を一般家庭用の給湯装置に適用したものであって、図１は多機能ハイブリッド給湯装置の全体構成図であり、給湯装置の構成は、貯湯タンクユニット１０とヒートポンプユニット１１とに大別される。
【００４９】
貯湯タンクユニット１０は縦長の貯湯タンク１２を有し、ヒートポンプユニット１１の高圧側熱交換器（放熱器）１３で加熱された高温の温水が貯湯タンク１２の最上部の給湯口１４から貯湯タンク１２内に流入する。そして、貯湯タンク１２の底部の出口１５から温水が電動ポンプ１６によりヒートポンプユニット１１の高圧側熱交換器１３に流入する。
【００５０】
なお、ヒートポンプユニット１１は電動圧縮機１７にて圧縮された高圧冷媒を高圧側熱交換器１３に流入させ、ここで、高圧冷媒と温水とを熱交換して温水を加熱し、高圧側熱交換器１３を通過した放熱後の高圧冷媒はその後、減圧装置１８で低圧状態に減圧される。この低圧冷媒は蒸発器１９で大気等から吸熱して蒸発し、その後、電動圧縮機１７に吸入され、再度圧縮される。ヒートポンプユニット１１は料金の安い夜間電力を利用して主に夜間に稼働される電気式温水器を構成する。
【００５１】
貯湯タンク１２の底部には、水道水等を給水するための給水入口２０が設けてある。この給水入口２０に接続される給水配管２１の途中から給水配管２１ａを分岐している。また、貯湯タンク１２最上部の給湯口１４から高温の温水が流れる給湯配管２２と、給水配管２１ａとを合流させ、その合流部に温度調整弁２３を配置している。
【００５２】
この温度調整弁２３は、貯湯タンク１２内に貯湯された高温（６０℃〜９０℃程度）の温水と、給水配管２１ａからの低温の水道水との混合比率を調整して給湯温水の温度を調整するものである。本例の温度調整弁２３は上記混合比率を調整する弁体をモータ等のアクチュエータにより駆動するようになっており、給湯温水の温度を検出する温度センサ（サーミスタ）２４の検出温度と給湯使用者の指示する目標温度とに基づいて弁体位置を自動調整して、給湯温水の温度が給湯使用者の指示する目標温度に維持されようになっている。
【００５３】
一方、貯湯タンクユニット１０にはガス式の燃焼装置２５が備えられている。この燃焼装置２５は、ガス供給管２６から燃焼室２７内にガスを供給し、このガスを点火装置２８により点火させ、そして、電動送風機２９により燃焼室２７内に送風される燃焼空気を供給ガスに混合して強制燃焼を行わせる。
【００５４】
ガス式の燃焼装置２５の上部に温水加熱室３０が隣接して設置してある。この温水加熱室３０は、その内部の温水とガス式燃焼装置２５の燃焼ガスとを熱交換させて、内部の温水を加熱する熱交換室である。このため、ガス式燃焼装置２５の燃焼ガスが温水加熱室３０の下側の外表面に沿って流れて温水と十分熱交換した後に、燃焼ガスが燃焼装置２５の外部へ排出されるようになっている。
【００５５】
なお、ガス供給管２６には、ガス供給の遮断作用の安全性を高めるために、第１電磁弁（元ガス電磁弁）３１と第２電磁弁３２とを直列に設けている。
【００５６】
温水加熱室３０は温水の温度差による密度差（高温温水の密度＜低温温水の密度）を利用した自然対流によって、温水加熱室３０と貯湯タンク１２との間の温水循環を行うために、貯湯タンク１２の下方部と連通する温水入口３４を温水加熱室３０の下方部に設け、貯湯タンク１２の上方部と連通する温水出口３５を温水加熱室３０の上方部に設けている。
【００５７】
また、縦長形状の貯湯タンク１２には、その内部の温水温度を検出する温度センサ（サーミスタ）３６をタンク上下方向の異なる高さに複数（図示の例では５個）設けてある。このタンク上下方向の複数の温度センサ３６の検出信号により、上下方向の温水温度の勾配を判定することができる。そして、この上下方向の温水温度の勾配から、貯湯タンク１２内上部に所定温度（例えば６０℃）以上の高温温水が必要量あるかどうか、つまり、湯切れ状態の有無を判定できる。
【００５８】
そして、貯湯タンク１２内に所定温度（例えば６０℃）以上の高温温水が必要量ないときは湯切れ状態であると判定して、ガス式燃焼装置２５の燃焼作動を始動し、温水加熱室３０にて温水を加熱して、湯切れを解消するようになっている。
【００５９】
前記した給湯配管２２において、温度調整弁２３の下流部は２つの配管２２ａ、２２ｂに分岐され、第１配管２２ａは、台所、洗面台等のように湯使用量が比較的少量の機器３７に接続される。第２配管２２ｂは、逆止弁３８を介して風呂３９に接続される。
【００６０】
一方、温水加熱室３０内にはブライン加熱用熱交換器４０が配置してある。このブライン加熱用熱交換器４０は、温水加熱室３０内にて上下方向に蛇行する縦長の金属製熱交換チューブを有し、この蛇行状の熱交換チューブ内を流れるブラインと温水加熱室３０内の温水との間で熱交換を行って、ブラインを加熱するものである。なお、ブラインは、温水加熱室３０内で吸熱し、後述の種々な機器にて放熱する熱媒体であり、具体的には、水道水や、不凍液を混合した水道水等を使用できる。
【００６１】
また、ブラインはブライン加熱用熱交換器４０を含む閉回路からなるブライン循環回路４１を電動ブラインポンプ４２により循環するようになっており、このブライン循環回路４１に、ブラインの温度上昇に伴う膨張分を吸収可能な容積を持つブラインタンク４３が設置されている。
【００６２】
ブラインタンク４３内には、風呂３９の追い焚き用の熱交換器４４が配置してある。この追い焚き用の熱交換器４４も、ブライン加熱用熱交換器４０と同様に蛇行状の金属製熱交換チューブを用いて構成され、風呂３９内の温水を追い焚き用熱交換器４４にてブラインと熱交換して加熱し、その加熱された温水を電動ポンプ４５により風呂３９内に再循環するようになっている。
【００６３】
なお、追い焚き用熱交換器４４の出口側流路には逆止弁４６を設けて、第２配管２２ｂからの温水が追い焚き用熱交換器４４側へ流入するのを防止する。また、第２配管２２ｂの逆止弁３８により追い焚き用熱交換器４４の出口側の温水が機器３７への供給温水に混入することを防止する。
【００６４】
ブライン循環回路４１において、ブライン加熱用熱交換器４０の出口側流路は２つに分岐され、その一方はブライン流量調整弁４７を介してブラインタンク４３の第１入口４８に接続されている。ブライン流量調整弁４７はモータ等のアクチュエータ機構により弁体が駆動されて弁開度（圧損）を調整するものである。
【００６５】
また、ブライン加熱用熱交換器４０の出口側の他方の分岐流路は温水暖房機（ファンコンベクタ）４９ａ、浴室乾燥機４９ｂ等の温水放熱機器４９の入口に接続され、この温水放熱機器４９の出口はブラインタンク４３の第２入口５０に接続されている。
【００６６】
また、ブライン循環回路４１において、ブライン加熱用熱交換器４０の入口側流路、換言すると、ブラインタンク４３から流出した温度上昇前のブライン（温水）が流れる流路から流路５１を分岐して床暖房装置５２の入口に接続している。床暖房装置５２の出口は温水放熱機器４９の出口側流路に合流して、ブラインタンク４３の第２入口５０に接続されている。
【００６７】
なお、温水暖房機４９ａ、浴室乾燥機４９ｂおよび床暖房装置５２にはそれぞれ専用の流量調整弁４９ｃ、４９ｄ、５２ａが内蔵されており、この流量調整弁４９ｃ、４９ｄ、５２ａにより、温水暖房機４９ａ、浴室乾燥機４９ｂおよび床暖房装置５２のブライン流量をそれぞれ個別に調整できるようになっている。また、各流量調整弁４９ｃ、４９ｄ、５２ａは各機器へのブラインの流れをシャットする止水機能も果たすことができるようになっている。
【００６８】
次に、上記構成において作動を説明する。給水配管２１により水道水が貯湯タンク１２の下部に供給され、貯水される。そして、貯湯タンク１２の下部の温水がポンプ１６によりヒートポンプユニット１１の高圧側熱交換器１３に送られ、ここで、サイクル内の高圧側冷媒からの放熱により温水が６０〜９０°Ｃに加熱され、貯湯タンク１２の上部に還流して貯湯される。
【００６９】
貯湯タンク１２の上部に貯湯された高温の温水は、給湯配管２２の温度調整弁２３において、給水配管２１ａからの低温の水道水と混合されて目標温度の温水となり、その後、台所、洗面台等の機器３７あるいは風呂３９に供給される。
【００７０】
ここで、機器３７あるいは風呂３９にて温水を一度に多量に使用すると、貯湯タンク１２内の所定温度以上の高温水の貯湯量が低下して湯切れをおこすことがある。
【００７１】
しかし、本実施形態によると、縦長形状の貯湯タンク１２の内部の温水温度を検出する複数の温度センサ３６の検出信号により、タンク上下方向の温水温度の勾配を判定し、この上下方向の温水温度の勾配から、貯湯タンク１２内上部に所定温度以上の高温温水が必要量あるかどうか判定できる。そして、貯湯タンク１２内に所定温度以上の高温温水が必要量だけないときは湯切れ状態であると判定して、ガス式燃焼装置２５の燃焼作動を始動して、温水加熱室３０内の温水を燃焼作動により加熱し、湯切れを解消する。
【００７２】
なお、温水加熱室３０内で加熱され、温度上昇した温水は自然対流にて上部の温水出口３５から貯湯タンク１２の上部に流入する。また、貯湯タンク１２の下部の低温の温水が温水入口３４から温水加熱室３０の下部に流入して、加熱される。ガス式燃焼装置２５の作動停止時においても、温水加熱室３０内は貯湯タンク１２との連通により貯湯タンク１２の連通部と同一温度の温水が蓄えられている。
【００７３】
従って、ブライン循環回路４１においては、ブラインポンプ４２によりブラインを温水加熱室３０内のブライン加熱用熱交換器４０に循環させることにより、温水加熱室３０内の温水との熱交換によりブラインを加熱できる。具体的には、温水加熱室３０内の温水温度が９０°Ｃ程度であるときは、ブラインが８０°Ｃ程度まで加熱される。
【００７４】
このとき、温水暖房機４９ａ、浴室乾燥機４９ｂ等の温水放熱機器４９を使用するために、温水放熱機器４９の内蔵の流量調整弁４９ｃ、４９ｄが開弁していると、８０°Ｃ程度の高温のブラインが温水暖房機４９ａ、浴室乾燥機４９ｂ等の温水放熱機器４９に流入し、ここで、放熱して各機器４９ａ、４９ｂの暖房・乾燥作用を果たす。そして、ブラインは４０°Ｃ〜７０°Ｃ程度の温度に低下した後にブラインタンク４３に戻る。
【００７５】
また、このとき、温水加熱室３０内で加熱された高温のブラインの一部は、分岐され、流量調整弁４７により調整された流量でもって、ブラインタンク４３に直接戻る。さらに、床暖房装置５２を同時運転するときは床暖房装置５２の内蔵の流量調整弁５２ａも開弁するため、温水加熱室３０上流（ブラインタンク４３直後）の低温（例えば、６０°Ｃ程度）のブラインが床暖房装置５２に流入して床暖房の作用を果たす。
【００７６】
ここで、温水放熱機器４９に流入する高温のブライン流量とブラインタンク４３に直接戻る高温のブライン流量との割合を流量調整弁４７により調整することができ、この流量割合の調整により温水放熱機器４９の能力と床暖房装置５２の能力を調整できる。
【００７７】
また、床暖房装置５２を単独運転するときは、温水暖房機４９ａ、浴室乾燥機４９ｂ内蔵の流量調整弁４９ｃ、４９ｄを閉弁して、温水放熱機器４９へのブライン流入を遮断するとともに、流量調整弁４７および床暖房装置５２内蔵の流量調整弁５２ａを開き、温水加熱室３０内のブライン加熱用熱交換器４０で加熱されたブラインを流量調整弁４７→ブラインタンク４３→ポンプ４２→ブライン加熱用熱交換器４０の回路で循環させるとともに、ブラインタンク４３→ポンプ４２→床暖房装置５２→ブラインタンク４３の回路で循環させ、床暖房作用を果たす。
【００７８】
また、風呂３９の追い焚きを行うときはポンプ４５を作動させて、風呂３９の温水をブラインタンク４３内の追い焚き用熱交換器４４に循環して、ブラインタンク４３内の６０°Ｃ程度のブラインと風呂３９の温水とを熱交換して、風呂３９の温水を加熱する。
【００７９】
以上の作動説明から理解されるように、貯湯タンク１２の内部の高温（例えば、９０°Ｃ）の温水を熱源として、次のように各種温度の温水（ブライン）を同時に供給できる。
（１）台所、洗面台等の給湯対象機器３７および風呂３９には、温度調整弁２３により温度調整された所望温度の温水を供給できる。
（２）温水暖房機４９ａ、浴室乾燥機４９ｂ等の温水放熱機器４９には、温水加熱室３０内のブライン加熱用熱交換器４０で加熱された最も高温（例えば、８０°Ｃ程度）のブラインを供給できる。
（３）床暖房装置５２には、ブライン加熱用熱交換器４０上流の中間温度（例えば、６０°Ｃ程度）のブラインを供給できる。
（４）ブラインタンク４３内の中間温度（例えば、６０°Ｃ程度）のブラインを熱源として風呂３９の温水を追い焚きすることができる。
【００８０】
更に、本実施形態によると、上記に加えて、次の作用効果が得られる。
【００８１】
▲１▼台所、洗面台等の給湯対象機器３７への給湯通路２２は、温水暖房機４９ａ、浴室乾燥機４９ｂ等の温水放熱機器４９および床暖房装置５２を有するブライン循環回路４１とは全く別回路となっているから、上記給湯対象機器３７への給湯水は飲料水として使用できる。
【００８２】
▲２▼燃焼装置２５の燃焼作動により貯湯タンク１２の湯切れを未然に防止できるので、貯湯タンク１２の小型化を図ることができる。また、夜間電力による電気式ヒートポンプユニット１１の運転により貯湯機能を発揮し、これに燃焼装置２５の補助加熱作用を組み合わせる構成であるから、昼間の湯切れ時に貯湯タンク１２内の温水を電気ヒータにより加熱する電気式給湯器に比較してランニングコストを大幅に低減できる。
【００８３】
▲３▼貯湯タンク１２の高温温水を熱源として、台所、洗面台等の給湯対象機器３７への給湯と、温水暖房等の機器４９、５２への温水（ブライン）供給を全て行っているから、これらの給湯対象機器３７と、機器４９、５２に対応して温水器を別々に設置する場合に比較して、部品点数低減による低コスト化、省スペース化を実現できる。
【００８４】
▲４▼浴室乾燥・温水暖房と床暖房を同時運転するときには、この両者の必要温水温度の違いから浴室乾燥・温水暖房側の余剰熱を利用して床暖房を行うことができ、効率的な給湯運転を行うことができる。
【００８５】
▲５▼風呂３９の追い焚きも、温水暖房、床暖房等の余剰熱で行うから、追い焚き専用の電気ヒータを用いる場合に比較して省エネルギーとなる。
【００８６】
▲６▼ヒートポンプユニット１１においては、その給水温度（高圧側熱交換器１３への入口側水温度）が高くなると、サイクル高圧が上昇して圧縮機動力が増大し、その結果、ＣＯＰ（成績係数）が低下するが、本実施形態によると、ヒートポンプユニット１１による温水加熱作用にガス燃焼による温水加熱作用を組み合わせることにより湯切れを防止できるから、ヒートポンプユニット１１への給水温度を湯切れ防止のために高くする必要がなく、そのため、ヒートポンプユニット１１のＣＯＰを向上できる。
【００８７】
なお、冷媒として例えば二酸化炭素等を使用し、高圧側の冷媒圧力が冷媒の臨界圧力以上となる超臨界ヒートポンプサイクルにより、ヒートポンプユニット１１を構成する場合には、高圧圧力が特に高いので、ヒートポンプユニット１１の給水温度低下によるＣＯＰの改善効果が大きい。
（第２実施形態）
図２は第２実施形態であり、第１実施形態に対してブライン循環回路４１のブライン加熱用熱交換器４０の上流部に第２のブライン流量調整弁５３を追加した点が異なる。
【００８８】
第２実施形態によると、第２のブライン流量調整弁５３の開度を減少すると、ポンプ４２から吐出されるブラインのうち、床暖房装置５２へのブライン流量を増加できる。従って、床暖房装置５２への配管長さが温水暖房機、浴室乾燥機等の温水放熱機器４９に比して長い場合とか、あるいは、床暖房装置５２が２階等のブラインタンク４３より高い位置に設置されて、床暖房装置５２へのブライン循環回路の圧損が特に大きい場合でも、床暖房装置５２へのブライン流量を確保して、床暖房性能を確保できる。
（第３実施形態）
図３は第３実施形態であり、第１、第２実施形態に対して以下の点が相違している。先ず、第１、第２実施形態では、貯湯タンク１２内に蓄えられる温水を加熱するための加熱装置として、電気式加熱装置を構成するヒートポンプユニット１１の他に、燃焼式加熱装置を構成する燃焼装置２５を備えており、そのため、加熱装置がハイブリッド式になっているが、第３実施形態では燃焼式加熱装置を廃止して電気式加熱装置を構成するヒートポンプユニット１１のみを温水加熱装置として備えている。
【００８９】
また、第１、第２実施形態では、燃焼式加熱装置における温水加熱室３０内にブライン加熱用熱交換器４０を配置しているが、第３実施形態では、給湯配管５４にブライン加熱用熱交換器４０を電気式開閉弁５５を介して接続している。ここで、給湯配管５４には貯湯タンク１２内上部に溜まっている高温（例えば９０℃）の温水またはヒートポンプユニット１１の高圧側熱交換器（水冷媒熱交換器）１３で加熱された高温の温水が供給される。
【００９０】
上記のブライン加熱用熱交換器４０は例えば２重管式熱交換器構造で構成され、ブライン循環回路４１のブラインと給湯配管５４の高温温水との間で熱交換を行ってブラインを例えば６０℃程度に加熱する。電気式開閉弁５５は電磁弁、電動弁等からなり、給湯配管５４を開閉する。
【００９１】
ブライン循環回路４１には、熱交換器４０の他にモータ駆動の電動ポンプ４２、床暖房装置５２が設けられ、電動ポンプ４２の作動によりブラインが床暖房装置５２を循環するようになっている。
【００９２】
一方、ブライン加熱用熱交換器４０のうち、給湯配管５４からの高温温水が流れる通路の出口側に温水熱回収タンク５６が設けてある。この温水熱回収タンク５６は、熱交換器４０にて熱交換後の温水を溜めて温水熱を回収するタンクであって、貯湯タンク１２の容量（例えば、３００リットル程度）の１／２程度の容量（例えば、１５０リットル程度）に設定してある。
【００９３】
温水熱回収タンク５６はその内部の上下方向に自然対流に沿った温度勾配（上部側が高温で、底部側が低温）を持つように、温水熱回収タンク５６の上部に、熱交換器４０にて熱交換後の温水が流入する第１入口５６ａを設け、そして、温水熱回収タンク５６の底部にタンク内の低温の水を排出する第１出口５６ｂを設けている。
【００９４】
この第１出口５６ｂは接続配管５７、モータ駆動の電動ポンプ５８を介して貯湯タンク１２の底部の第２入口５９に接続されている。そして、貯湯タンク１２の上部を接続配管６０により給湯配管５４に接続している。これにより、給湯配管５４→電気式開閉弁５５→熱交換器４０→温水熱回収タンク５６→接続配管５７→電動ポンプ５８→貯湯タンク１２→接続配管６０→給湯配管５４に戻る閉回路が構成され、電動ポンプ５８を作動させると、この閉回路を温水が循環するようになっている。
【００９５】
また、温水熱回収タンク５６の底部には第２入口５６ｃが設けてあり、この第２入口５６ｃには、給水配管２１から分岐された給水配管２１ａから逆止弁６１を介して水道水が導入されるようになっている。温水熱回収タンク５６の上部には第２出口５６ｄを設け、この第２出口５６ｄを給水配管２１ｂを介して温度調整弁２３の入口側に接続している。従って、第３実施形態の温度調整弁２３では、温水熱回収タンク５６内の上部に溜まる温水と給湯配管２２からの高温温水とを混合して所望温度の温水を作り出すことができる。
【００９６】
なお、給湯配管２２は、温度調整弁２３の下流側で２つの配管２２ａ、２２ｂに分岐され、その一方の第１配管２２ａには台所、洗面台等の給湯対象機器３７が接続される。また、他方の第２配管２２ｂには風呂３９が接続される。
【００９７】
次に、第３実施形態の作動を説明すると、床暖房装置５２を使用する際には、図示しない制御装置により電気式開閉弁５５を開弁させるとともに、電動ポンプ４２、５８を作動させる。電気式開閉弁５５の開弁により貯湯タンク１２から高温（例えば、９０℃）の温水がブライン加熱用熱交換器４０に流入する。また、電動ポンプ４２の作動によりブライン循環回路４１のブラインがブライン加熱用熱交換器４０に流入するので、熱交換器４０にて高温温水がブラインを６０℃程度の温度に加熱する。この加熱されたブラインが床暖房装置５２を循環して床面に放熱して床暖房を行う。この放熱後のブラインは４０℃程度の温度に低下して熱交換器４０に戻る。
【００９８】
電動ポンプ４２の回転数制御によりブラインの循環流量（床暖房の放熱量）を制御できる。本第３実施形態では、床暖房放熱後のブライン温度が所定温度（例えば４０℃程度）に維持されるように電動ポンプ４２の回転数を自動制御している。
【００９９】
一方、給湯配管５４から熱交換器４０に流入する高温温水の流量は、電動ポンプ５８の回転数制御により制御できる。そこで、本第３実施形態では、熱交換器４０で熱交換後のブライン温度が所定温度（例えば６０℃程度）に維持されるように電動ポンプ５８の回転数を自動制御している。
【０１００】
もちろん、床暖房の目標温度が使用者により変更されれば、その目標温度の変更量に応じてブライン温度の上記所定温度を変更し、電動ポンプ４２、５８の回転数制御にフィードバックする。
【０１０１】
第３実施形態によると、ブライン加熱用熱交換器４０から流出した中間温度の温水を温水熱回収タンク５６内に蓄えている。この中間温度の温水は第１入口５６ａから温水熱回収タンク５６内の上部に流入し、また、給水配管２１ａからの低温水道水は第２入口５６ｃから温水熱回収タンク５６内の底部に流入するので、温水熱回収タンク５６内の上下方向に温水の温度勾配が発生する。
【０１０２】
そして、温水熱回収タンク５６の上部に設けた第２出口５６ｄからタンク５６内上部の温水（タンク内の最も高温の温水）を給水配管２１ｂを通して温度調整弁２３の入口側に供給するから、温水熱回収タンク５６内の中間温度（例えば、２０〜４０℃程度）の温水を、温度調整弁２３を介して給湯対象機器３７あるいは風呂３９に供給できる。
【０１０３】
従って、給湯対象機器３７あるいは風呂３９にて必要な温水の温度域が温水熱回収タンク５６内に蓄えられる中間温度の温水でまかなうことができる場合は、温水熱回収タンク５６内からの給湯のみでよく、貯湯タンク１２内の高温温水を使用しなですむ。そのため、ヒートポンプユニット１１の稼働時間を低減でき、ヒートポンプユニット１１の消費電力を低減できる。
【０１０４】
また、電動ポンプ５８の作動によって温水熱回収タンク５６内の底部の低温（例えば、２０℃程度）の水が貯湯タンク１２内の底部に戻るので、電動ポンプ１６の作動によって貯湯タンク１２内の底部の低温の水がヒートポンプユニット１１の高圧側熱交換器１３に送られる。
【０１０５】
このため、高圧側熱交換器１３では圧縮機１７の吐出冷媒（高圧冷媒）の温度と水との温度差が拡大するので、サイクル高圧圧力を上昇させることなく、水−冷媒間の熱交換量を増大できる。これにより、ヒートポンプユニット１１のＣＯＰを向上できる。
（第４実施形態）
上記第３実施形態では、温水熱回収タンク５６内底部の低温の水を、接続配管５７、電動ポンプ５８を介して貯湯タンク１２内の底部に直接戻すようにしているが、第４実施形態では図４に示すように、温水熱回収タンク５６内底部の低温の水を先ず、ヒートポンプユニット１１の蒸発器１９に流入させ、ここで、水から吸熱して冷媒が蒸発するようにしている。
【０１０６】
すなわち、第４実施形態では蒸発器１９を高圧側熱交換器１３と同様に水冷媒熱交換器として構成し、温水熱回収タンク５６内底部の低温（例えば、２０℃程度）の水から冷媒が吸熱して蒸発するので、低温の水は更に温度低下して例えば、１０℃程度の温度になって、貯湯タンク１２内の底部に戻る。
【０１０７】
その結果、ヒートポンプユニット１１の高圧側熱交換器１３に送られる水の温度が第３実施形態より更に低下して高圧側熱交換器１３での熱交換量を増大でき、より一層ＣＯＰを向上できる。
（第５実施形態）
図５は第５実施形態であり、ヒートポンプユニット１１において蒸発器１９の出口側と圧縮機１７の吸入側との間にアキュムレータ６２を設け、蒸発器１９の出口冷媒の気液をアキュムレータ６２内で分離し、アキュムレータ６２内の上部のガス冷媒をアキュムレータ６２から圧縮機１７の吸入側に流出させるようになっている。
【０１０８】
そして、このアキュムレータ６２をその内部の冷媒と、温水熱回収タンク５６内底部の低温の水との間で熱交換を行う構造として、アキュムレータ６２内部の冷媒に温水熱回収タンク５６内底部の低温の水から吸熱させる。これによっても、温水熱回収タンク５６内底部の低温の水の温度、ひいては高圧側熱交換器１３に送られる水の温度を更に低下して高圧側熱交換器１３での熱交換量を増大できる。
【０１０９】
第４、第５実施形態から理解されるように、要は、ヒートポンプユニット１１の低圧側冷媒が温水熱回収タンク５６内底部の低温の水から吸熱するようにすればよい。
（第６実施形態）
第３〜第５実施形態では温水熱回収タンク５６を単純なタンク構造として、ブライン加熱用熱交換器４０から流出した中間温度の温水を温水熱回収タンク５６内の上部に直接流入させ、また、給水配管２１ａからの低温の水道水は温水熱回収タンク５６内の底部に直接流入させているが、第６実施形態では図６に示すように、ブライン加熱用熱交換器４０から流出した中間温度の温水が流れる温水配管６３を温水熱回収タンク５６内に蛇行状に配置している。
【０１１０】
これにより、温水熱回収タンク５６内において、給水配管２１ａからの低温の水道水と、温水配管６３の温水との間で熱交換を行って、低温の水道水を加熱し、温水熱の回収を行うことができる。すなわち、第６実施形態では温水熱回収タンク５６を熱交換器構造として、温水熱の回収を行うものである。
【０１１１】
なお、図６の具体例とは逆に、給水配管２１ａからの低温の水道水が流れる配管（図示せず）を温水熱回収タンク５６内に蛇行状に配置し、一方、ブライン加熱用熱交換器４０から流出した中間温度の温水は図３、４と同様に温水熱回収タンク５６内に直接流入させ、これにより、配管内を流れる低温の水道水と中間温度の温水との間で熱交換を行うようにしてもよい。
（第７実施形態）
第３、第４実施形態ではブライン循環回路４１の温水放熱機器として、床暖房装置５２を使用する例について説明したが、図７に示す第７実施形態では、床暖房装置５２を廃止し、その代わりに、風呂３９の温水をブライン循環回路４１の熱交換器４０に循環して、ブライン循環回路４１の熱交換器４０を風呂３９の追い焚き用に使用できるようにしている。
（第８実施形態）
図８は第８実施形態であり、第３実施形態による温水熱回収タンク５６を備える多機能給湯装置に関するものであり、以下第３実施形態との相違点を主体として第８実施形態を説明する。
【０１１２】
第３実施形態では温水熱回収タンク５６の底部に設けた第１出口５６ｂを接続配管５７、モータ駆動の電動ポンプ５８を介して貯湯タンク１２の底部の第２入口５９に接続しているが、第８実施形態では温水熱回収タンク５６の底部の第１出口５６ｂに接続された接続配管５７に電気的に制御される三方切替弁６４を設け、この三方切替弁６４により接続配管５７を２つの配管５７ａ、５７ｂに分岐している。
【０１１３】
そして、その一方の分岐配管５７ａを逆止弁６５を介して貯湯タンク１２の底部の第２入口５９に接続している。他方の分岐配管５７ｂは逆止弁６６を介して貯湯タンク１２の上下方向の中間高さの部位に設けられた第３入口６７に接続している。より具体的には、第３入口６７の高さ位置は温水熱回収タンク５６の容量に相当する位置に設定してある。すなわち、貯湯タンク１２の容量は第３実施形態と同様に例えば、３００リットル程度であり、また、温水熱回収タンク５６の容量も第３実施形態と同様に例えば、１５０リットル程度であり、このように温水熱回収タンク５６の容量を設定する場合は、第３入口６７の高さ位置は貯湯タンク１２の全高さの１／２付近に設定する。
【０１１４】
また、第３実施形態ではモータ駆動の電動ポンプ５８を接続配管５７の途中に配置しているが、第８実施形態では、ブライン用熱交換器４０にてブラインと熱交換した後の温水を接続配管６８を通して温水熱回収タンク５６上部の第１入口５６ａに流入させ、この接続配管６８に電動ポンプ５８を配置し、この電動ポンプ５８の吐出側に逆止弁６９ａを配置している。
【０１１５】
また、第３実施形態では、温水熱回収タンク５６上部の第２出口５６ｄを給水配管２１ｂにより温度調整弁２３の入口側に直接接続しているが、第８実施形態では、給水配管２１ｂの途中に補助温度調整弁７０を設けている。この補助温度調整弁７０には給水配管２１から逆止弁６９ｂを介して分岐された給水配管２１ｃが接続されている。
【０１１６】
このため、補助温度調整弁７０は、温水熱回収タンク５６上部から供給される中間温度（４０℃）付近の温水と、給水配管２１ｃからの低温の水道水との混合比率を調整して、主温度調整弁２３への供給温水の温度を調整できる。なお、補助温度調整弁７０は主温度調整弁２３と同様に上記混合比率を調整する弁体をモータ等のアクチュエータにより駆動するようになっており、その弁体位置を自動調整して補助温度調整弁７０の出口側（主温度調整弁２３の入口側）の温水温度を調整できるようになっている。
【０１１７】
また、第８実施形態では、縦長形状の温水熱回収タンク５６内の上下方向の温水温度の勾配を検出するために、温水熱回収タンク５６の上下方向に所定間隔にて複数（例えば、５個）の温度センサ７１を設けている。この温度センサ７１は、第１、第２実施形態の図１、２に示す貯湯タンク１２の温度センサ３６と同様のものである。なお、図８では図示の簡略化のために、温度センサ３６、７１をともに１個のみ図示している。
【０１１８】
更に、本例では、補助温度調整弁７０の出口側および給水配管２１に温度センサ７２、７３を設け、温度センサ７３により検出される水道水の温度と、温水熱回収タンク５６の温度センサ７１のうち最上部の温度センサにより検出される第２出口５６ｄからの温水温度と、温度センサ７２により検出される補助温度調整弁７０の出口側温度と、使用者により設定される給湯目標温度とに基づいて補助温度調整弁７０の弁体位置を自動調整するようになっている。ここで、補助温度調整弁７０の弁体位置を、使用者により設定される給湯目標温度と補助温度調整弁７０の出口側温水温度のみに基づいて自動調整するようにしてもよい。
【０１１９】
また、三方切替弁６４の作動は、温水熱回収タンク５６の温度センサ７１のうち最下部の温度センサにより検出される第１出口５６ｂからの温水温度に基づいて切替制御される。具体的には、温水熱回収タンク５６内に第１入口５６ａから流入する４０℃程度の中間温度の温水が充満して、温度センサ７１のうち最下部の温度センサの検出温度が第１入口５６ａからの流入温水と同等の所定温度（例えば、４０℃程度）まで上昇すると、三方切替弁６４が接続配管５７ａ側の流路を閉じて、接続配管５７ｂ側の流路を開くようになっている。
【０１２０】
なお、第８実施形態では、床暖房装置５２にブラインを循環させるブライン循環回路４１に、ブラインの温度上昇による体積膨張を吸収する専用の膨張タンク７４を設けている。
【０１２１】
図９は第８実施形態の電気制御ブロック図であり、上記センサ群２４、３６、７１、７２、７３等の検出信号、および給湯装置操作パネル７５の操作信号が電子制御装置７６に入力され、この電子制御装置７６で入力信号に基づく所定の演算処理を行って、図８のヒートポンプユニット１１の各機器および貯湯ユニット１０の各機器（ポンプ４２、５８、弁２３、６４、７０）の作動を制御するようになっている。
【０１２２】
次に、第８実施形態の作動を説明すると、ヒートポンプユニット１１は主に夜間（深夜）電力を利用して運転され、貯湯タンク１２内の水をポンプ１６により高圧側熱交換器１３に循環して、貯湯タンク１２内の水を９０℃程度の高温温水に加熱する（沸き上げる）。このとき、ポンプ５８は停止しており、温水熱回収タンク５６には貯湯タンク１２内の高温温水が循環しないので、給水配管２１ａから低温の水道水が給水されたままである。
【０１２３】
そして、床暖房装置５２を使用する時はポンプ４２およびポンプ５８を作動させる。一方のポンプ４２の作動により、床暖房装置５２のブライン循環回路４１にブラインが循環すると同時に、他方のポンプ５８の作動により、貯湯タンク１２内上部の高温温水が給湯配管５４からブライン用熱交換器４０および温水熱回収タンク５６を通過して貯湯タンク１２に戻る経路にて循環する。
【０１２４】
ここで、温水熱回収タンク５６底部の第１出口５６ｂと貯湯タンク１２との間の流路は三方切替弁６４により次のように設定される。すなわち、ポンプ５８の起動当初は温水熱回収タンク５６内に低温の水が溜まっているので、温水熱回収タンク５６の温度センサ７１のうち最下部の温度センサの検出温度が所定温度（例えば、４０℃程度）より低い。
【０１２５】
このことを電子制御装置７６により判定して、三方切替弁６４を接続配管５７ｂ側の流路を閉じて接続配管５７ａ側の流路を開く状態に維持する。このため、温水熱回収タンク５６底部の第１出口５６ｂから低温の水は接続配管５７、５７ａを通過して貯湯タンク１２の底部へ流入する。
【０１２６】
ブライン循環回路４１のブラインは、ブライン用熱交換器４０にて給湯配管５４からの高温温水と熱交換して６０℃程度に加熱され、床暖房装置５２にて住宅の床面に放熱してブライン用熱交換器４０に戻る。一方、給湯配管５４からの高温温水はブラインとの熱交換で４０℃程度の中間温度に低下して第１入口５６ａから温水熱回収タンク５６内の上部に流入する。
【０１２７】
ここで、温水熱回収タンク５６内に給水配管２１ａから低温水道水が流入しないときは温水熱回収タンク５６内に徐々に４０℃程度の中間温度の温水が溜まっていく。そして、温水熱回収タンク５６内がこの中間温度の温水で充満すると、温度センサ７１のうち最下部の温度センサの検出温度が所定温度（例えば、４０℃程度）まで上昇する。
【０１２８】
この温水熱回収タンク５６内最下部の温水温度の上昇を電子制御装置７６により判定して、三方切替弁６４を接続配管５７ａ側の流路を閉じて接続配管５７ｂ側の流路を開く状態に切り替える。これにより、温水熱回収タンク５６底部の第１出口５６ｂから中間温度の温水が接続配管５７、５７ｂを通過して貯湯タンク１２の上下方向の中間部位に流入する。
【０１２９】
ここで、もし、温水熱回収タンク５６底部からの中間温度の温水が貯湯タンク１２の底部に流入し続けると、貯湯タンク１２の底部にて中間温度の温水と低温水との撹拌が生じて、貯湯タンク１２の上下方向に形成されている温水の温度勾配（境界層）が崩れるという不具合が生じる。
【０１３０】
これに対して、第８実施形態によると、温水熱回収タンク５６底部からの中間温度の温水が貯湯タンク１２の上下方向の中間部位に流入するため、貯湯タンク１２の底部における中間温度の温水と低温水との撹拌を防止できる。
【０１３１】
ここで、温水熱回収タンク５６内がブライン用熱交換器４０通過後の中間温度の温水で充満するということは、貯湯タンク１２から温水熱回収タンク５６の容量相当分の高温温水が流出し、その代わりに貯湯タンク１２の下部に温水熱回収タンク５６の容量相当分の低温水道水が流入することになる。
【０１３２】
従って、温水熱回収タンク５６内が中間温度の温水で充満した時点で貯湯タンク１２への温水戻り位置を貯湯タンク底部から貯湯タンク中間部位、具体的には、温水熱回収タンク５６の容量相当分の中間部位に切り替えることにより、貯湯タンク１２内の高温温水と低温水道水との境界付近に温水熱回収タンク５６からの中間温度の温水を流入させることができ、中間温度の温水と低温水との撹拌を防止できる。これにより、貯湯タンク１２の上下方向の温水温度勾配（境界層）を維持できるので、貯湯タンク１２内の温水を有効利用できる。
【０１３３】
一方、温水熱回収タンク５６において回収された中間温度の温水は、給水配管２１ｂにより主温度調整弁２３の水側に供給されるから、第３実施形態と同様に、貯湯タンク１２内の高温温水の使用量を減らすことができる。
【０１３４】
更に、給水配管２１ｂに補助温度調整弁７０を配置して、温水熱回収タンク５６からの中間温度の温水と給水配管２１ｃからの低温水とを混合して、４０℃以下の中間温度の温水を作ることができるから、給湯温度として４０℃以下の任意の中間温度、例えば、３５℃が設定された場合でも、補助温度調整弁７０によりこの３５℃の中間温度の温水を作って主温度調整弁２３を介して、台所等の給湯対象機器３９、風呂３９等に供給できる。
【０１３５】
なお、第８実施形態において、温水熱回収タンク５６の底部を貯湯タンク１２の底部に連通させる第１戻し経路を接続配管５７と分岐配管５７ａにより構成し、また、温水熱回収タンク５６の底部を貯湯タンク１２の上下方向の中間部位に連通させる第２戻し経路を接続配管５７と分岐配管５７ｂにより構成している。
【０１３６】
また、第８実施形態において上記第１戻し経路と第２戻し経路を切り替える切替手段を三方切替弁６４により構成し、更に、温水熱回収タンク５６内の中間温度の温水と給水配管２１ｃからの低温水とを混合して温度調整された温水を作る温度調整手段を補助温度調整弁７０により構成している。
（第９実施形態）
第９実施形態は上記第８実施形態における補助温度調整弁７０の温水温度調整の自動制御に関する。
【０１３７】
図１０は上記第８実施形態の図８に対応する全体システム図であり、給湯配管２２において主温度調整弁２３の出口側部位に給湯温水の流量を検出する流量センサ７７を設けている。なお、図１０では、図８における三方切替弁６４、分岐配管５７ｂ等を廃止した温水通路構成としているが、第９実施形態でも三方切替弁６４、分岐配管５７ｂ等を設けてもよい。
【０１３８】
第９実施形態において電気制御の構成は基本的に第８実施形態の図９と同じでよく、図９において、電子制御装置７６の入力側に流量センサ７７を追加するだけでよい。
【０１３９】
本発明者らは補助温度調整弁７０の温水温度調整の自動制御に際して、まず最初に、機器３７、３９への温水供給（以下給湯という）開始時における初期弁体位置を前回の給湯終了時における弁体位置に設定するものについて検討してみた。
【０１４０】
この検討案は、前回の給湯終了時における弁体位置を記憶保持しておき、この記憶した弁体位置を次回の給湯開始時における初期弁体位置に設定するものであって、前回の給湯終了後次回の給湯開始時までの間に、温水熱回収タンク５６内の温水温度が上昇しないときは問題が生じないが、前回の給湯終了後に床暖房装置５２を使用すると、貯湯タンク１２、ブライン加熱用熱交換器４０および温水熱回収タンク５６を通る循環回路により温水の循環が行われ、温水熱回収タンク５６の上部に溜まる温水温度が上昇する。
【０１４１】
ところが、補助温度調整弁７０の初期弁体位置は前回の給湯終了時における弁体位置に設定されているので、この初期弁体位置の想定する温水温度よりも高温の温水が温水熱回収タンク５６の上部から補助温度調整弁７０に供給され、補助温度調整弁７０の出口温水温度が目標温度に対して高温側に大きくオーバーシュートするという不具合が生じる。図１１の破線Ａはこの検討案による給湯開始直後のオーバーシュートを示す。
【０１４２】
なお、図１１は、機器３７、３９への給湯開始後における経過時間を横軸にとり、縦軸に補助温度調整弁７０の出口温水温度をとったものであり、１点鎖線Ｂは補助温度調整弁７０の目標温度であり、３５℃の場合を例示している。
【０１４３】
次に、第９実施形態による補助温度調整弁７０の制御を図１２により説明すると、図１２は図９の電子制御装置７６により実行される制御ルーチンであり、先ず、ステップＳ１０にて給湯流量の有無を流量センサ７７の検出信号に基づいて判定する。給湯流量のないときはステップＳ２０に進み、補助温度調整弁７０の弁体位置を給水配管２１ｃからの水の量を１００％とする位置に移動し、この弁体位置にて補助温度調整弁７０を待機させる。
【０１４４】
これに反し、ステップＳ１０にて給湯流量有りを判定すると、ステップＳ３０にて補助温度調整弁７０の弁体位置のフィードバック制御のための目標温度Ｔ１を読み込む。ここで、この目標温度Ｔ１は、主温度調整弁７０の目標温度Ｔ０以下の温度であり、本例では主温度調整弁７０の目標温度Ｔ０の設定範囲の下限値、例えば３５℃を補助温度調整弁７０の目標温度Ｔ１として用いている。なお、主温度調整弁７０の目標温度Ｔ０は既述したように図９の操作パネル７５に装備されている給湯目標温度設定スイッチを給湯使用者が操作して設定される温度である。
【０１４５】
次のステップ４０では、補助温度調整弁７０の弁体位置をフィードバック制御する。このフィードバック制御は、具体的には、温度センサ７２により検出される補助温度調整弁７０の出口温水温度と上記目標温度Ｔ１との偏差を算出し、この偏差に基づいて弁体位置の移動量を決定し、これにより、補助温度調整弁７０の出口温水温度を上記目標温度Ｔ１と一致するように制御する。このフィードバック制御はより具体的には周知の比例積分微分制御（ＰＩＤ制御）、ファジィ制御等の制御手法を使用できる。
【０１４６】
補助温度調整弁７０の弁体位置のフィードバック制御において、その制御開始時点（すなわち、給湯開始時点）では、補助温度調整弁７０が給水配管２１ｃからの水の量を１００％とする弁体位置にて待機しているので、弁体位置のフィードバック制御は必ず、この水の量＝１００％の弁体位置から開始することになる。従って、補助温度調整弁７０の出口温水温度は図１１の実線Ｃに示すように、必ず、給水温度（図示例は５℃）から始まり、そして、フィードバック制御により上記目標温度Ｔ１に向かって徐々に上昇する。
【０１４７】
このため、補助温度調整弁７０の出口温水温度が上記目標温度Ｔ１より高温側にオーバーシュートするといった不具合は発生しない。
【０１４８】
なお、図１１において、給湯開始後、補助温度調整弁７０の出口温水温度が給水温度から目標温度Ｔ１に上昇するまでの時間は例えば、１０秒程度である。
【０１４９】
第９実施形態では、補助温度調整弁７０の弁体位置を給湯停止時の間に、水の量＝１００％の弁体位置にて待機させ、給湯開始時には補助温度調整弁７０の弁体位置フィードバック制御を必ず水の量＝１００％の弁体位置から開始しているが、第９実施形態の趣旨は、給湯開始時における出口温水温度の高温側へのオーバーシュートを防止することにあるから、上記水の量＝１００％の弁体位置に限定するものではない。
【０１５０】
本発明者の検討によると、上記高温側へのオーバーシュートを防止するためには、給湯開始時における補助温度調整弁７０の弁体位置を温水熱回収タンク５６からの温水よりも給水配管２１ｃからの水の量が多くなる位置に設定すればよいことが分かっている。
（他の実施形態）
なお、第３、第４実施形態では床暖房装置５２の使用時に、電気式開閉弁５５を開弁し、そして、電動ポンプ４２、５８の回転数制御により床暖房装置５２の放熱量を制御するようにしているが、例えば、電動ポンプ５８の回転数を一定回転数に固定し、その代わりに、電気式開閉弁５５の開度を連続的に制御し、これにより、温水熱回収タンク４０に流入する高温温水の流量を制御して、熱交換器４０の加熱後のブライン温度を制御するようにしてもよい。
【０１５１】
また、第３、第４実施形態ではブライン循環回路４１の温水放熱機器として、床暖房装置５２を使用する例について説明したが、床暖房装置５２の代わりに、第１、第２実施形態で説明した温水暖房機（ファンコンベクタ）４９ａや浴室乾燥機４９ｂ等の温水放熱機器４９をブライン循環回路４１の温水放熱機器として使用してもよい。
【０１５２】
また、上記各実施形態では、電気式温水器としてヒートポンプユニット１１を使用する場合について説明したが、貯湯タンク１２内に電気ヒータを配置して貯湯タンク１２内の温水を電気ヒータにより直接加熱する電気式温水器に対して本発明を適用してもよい。
【０１５３】
また、第１、第２実施形態では、ガス式の燃焼装置２５を用いて温水を加熱する例について説明したが、灯油等の液体燃料を用いる燃焼装置を用いて温水を加熱してもよいことはもちろんである。
【図面の簡単な説明】
【図１】本発明の第１実施形態を示す全体システム図である。
【図２】第２実施形態を示す全体システム図である。
【図３】第３実施形態を示す全体システム図である。
【図４】第４実施形態を示す全体システム図である。
【図５】第５実施形態を示すヒートポンプユニット部の構成図である。
【図６】第６実施形態を示す温水熱回収タンク部の構成図である。
【図７】第７実施形態を示す全体システム図である。
【図８】第８実施形態を示す全体システム図である。
【図９】第８実施形態の電気制御ブロック図である。
【図１０】第９実施形態を示す全体システム図である。
【図１１】第９実施形態の作用効果の説明に供するグラフである。
【図１２】第９実施形態による補助温度調整弁の制御フローチャートである。
【符号の説明】
１１…ヒートポンプユニット（電気式加熱装置）、１２…貯湯タンク、
２２…給湯配管（温水供給経路）、２５…燃焼装置、３０…温水加熱室、
３７…台所等の給湯対象機器、３９…風呂、４０…ブライン加熱用熱交換器、
４１…ブライン循環回路（ブライン供給経路）、４９…温水放熱機器、
５２…床暖房装置、５６…温水熱回収タンク。
【図１】
0003966031.tif 000002
【図２】
0003966031.tif 000003
【図３】
0003966031.tif 000004
【図４】
0003966031.tif 000005
【図５】
0003966031.tif 000006
【図６】
0003966031.tif 000007
【図７】
0003966031.tif 000008
【図８】
0003966031.tif 000009
【図９】
0003966031.tif 000010
【図１０】
0003966031.tif 000011
【図１１】
0003966031.tif 000012
【図１２】
0003966031.tif 000013